(57)【要約】【課題】ガレージ用布地とスライダーが接触しにくく、スライダーのスライド操作を行いやすい衣料を提供する。【解決手段】本発明の衣料１０は、第１接合布地１１と；第２接合布地２１と；スライダー３４を含むスライドファスナー３１と；第１面４２と、第１面４２と反対側に第２面４３を有し、スライドファスナー３１のスライド方向の一方端部においてスライダー３４の少なくとも一部を収容するガレージ用布地４１と；を有し、ガレージ用布地４１は、第１面４２が第１接合布地１１に直接または間接に固定される固定部４４と、第２面４３が固定部４４と対向している重なり部４５と、第２面４３がスライダー３４と対向している収容部４６とを有する。【選択図】図４
2017025442.tif 000002
【特許請求の範囲】
【請求項１】
第１布地と、該第１布地に接合される第１基材テープと、を含む第１接合布地と、
第２布地と、該第２布地に接合される第２基材テープと、を含む第２接合布地と、
前記第１基材テープに設けられる第１エレメントと、前記第２基材テープに設けられる第２エレメントと、これらのエレメントの係合解除を行うスライダーと、を含むスライドファスナーと、
第１面と、該第１面と反対側に第２面とを有し、前記スライドファスナーのスライド方向の一方端部において前記スライダーの少なくとも一部を収容するガレージ用布地と、を有し、
前記ガレージ用布地は、前記第１面が前記第１接合布地に直接または間接に接合される固定部と、前記第２面が前記固定部と対向している重なり部と、前記第２面が前記スライダーと対向している収容部とを有することを特徴とする衣料。
【請求項２】
前記ガレージ用布地は、前記スライドファスナーを前記一方端部側から覆うように、前記第１面を外側にして第１折り返し部で折り返されており、
前記第１折り返し部を挟んだ一方側の第１面が前記第１接合布地の表面側に直接または間接に接合され、
前記第１折り返し部を挟んだ他方側の第１面が前記第１接合布地の裏面側に直接または間接に接合されている請求項１に記載の衣料。
【請求項３】
前記ガレージ用布地は、前記スライドファスナーのスライド方向に対して前記第１折り返し部を挟んだ他方側が前記第１折り返し部を挟んだ一方側よりも長く形成されている請求項２に記載の衣料。
【請求項４】
前記ガレージ用布地は、前記第１面を外側にして第２折り返し部で折り返されており、
前記第２折り返し部は、前記第１面側が前記第１エレメントの遠位側を向いており、
前記第２折り返し部を挟んだ一方側に前記固定部が形成され、
前記第２折り返し部を挟んだ他方側に前記重なり部と前記収容部が形成されている請求項１〜３のいずれか一項に記載の衣料。
【請求項５】
前記ガレージ用布地は、前記スライドファスナーを前記一方端部側から覆うように、前記第１面を外側にして第１折り返し部で折り返されており、
前記第１折り返し部の延在方向と前記第２折り返し部の延在方向は、前記スライドファスナーから見て９１度以上の角度をなしている請求項４に記載の衣料。
【請求項６】
前記第１布地は、表面側に位置する第１表布地と、裏面側に位置する第１裏布地とを有し、
前記第１基材テープが前記第１表布地と前記第１裏布地の間に配され、
前記ガレージ用布地は、前記スライドファスナーを前記一方端部側から覆うように、前記第１面を外側にして第１折り返し部で折り返されるとともに、前記第２面が前記第１エレメントの近位側を向くように、前記第２面を外側にして第３折り返し部で折り返されており、
前記ガレージ用布地の前記第１折り返し部を挟んだ一方側は、前記第３折り返し部を挟んだ一方側が前記第１表布地の表面側に直接または間接に接合され、前記第３折り返し部を挟んだ他方側が前記第１表布地の裏面側に直接または間接に接合され、
前記ガレージ用布地の前記第１折り返し部を挟んだ他方側は、前記第３折り返し部を挟んだ一方側が前記第１裏布地の裏面側に直接または間接に接合され、前記第３折り返し部を挟んだ他方側が前記第１裏布地の表面側に直接または間接に接合されている請求項１〜５のいずれか一項に記載の衣料。
【請求項７】
前記第１布地と前記ガレージ用布地は、同一の連続した部材を第４折り返し部で折り返すことにより形成され、
前記第４折り返し部を挟んだ一方側が前記第１布地として構成され、
前記第４折り返し部を挟んだ他方側が前記ガレージ用布地として構成される請求項１〜５のいずれか一項に記載の衣料。
【発明の詳細な説明】
【技術分野】
【０００１】
本発明はスライドファスナーが設けられた衣料に関するものであり、詳細にはスライドファスナーのスライド方向の一方端部にスライダーを収容するガレージが設けられた衣料に関する。
【背景技術】
【０００２】
スライドファスナーは従来から留め具として多用されているが、例えば上衣の前身頃に着脱用のスライドファスナーが設けられる場合、エレメントの係合解除を行うスライダーが着用者の首や顎に接触することによって、着用者が不快感や違和感を感じることがある。そこでスライダーを引き上げたときにスライダーが着用者の肌に直接触れないように、スライドファスナーのスライド方向の上方端部にスライダーを収容するためのガレージを設けることが知られている。
【０００３】
例えば、特許文献１にはスライダーが締結部材の長手端に位置するときに、スライダーを受容するためのスライダーガレージを含む締結システムが記載されている。
【０００４】
また、スライダーを収容するガレージは例えば次のように衣料に設けられる。図９〜図１１はスライダーを収容する従来のガレージが設けられた衣料（上衣）１００の構成を示す斜視図を表す。衣料１００は、右前身頃６１と、左前身頃６２と、右前身頃６１と左前身頃６２にそれぞれ接合される基材テープ６３，６４と、基材テープ６３，６４にそれぞれ設けられるエレメント７１，７２、各エレメントを係合解除するスライダー７３を含むスライドファスナー７４、スライダーを収容した状態で表面側に位置する第１面８２と第１面８２と反対側に第２面８３とを有し右前身頃６１に接合されるガレージ用布地８１を有する。なお、右前身頃６１とガレージ用布地８１の接合状態を明らかにするために、図１０では図９のガレージ用布地８１が右前身頃６１側に折り返された状態を示している。図９〜図１０に示すように、衣料１００のガレージ用布地８１の接合部は右前身頃６１と第１基材テープ６３の間に設けられている。
【先行技術文献】
【特許文献】
【０００５】
【特許文献１】特表２０１０−５１０００４号公報
【発明の概要】
【発明が解決しようとする課題】
【０００６】
しかし、ガレージの高さがスライダー７３の高さに対して同程度、或いは低い場合には、図１１に示すようにスライダー７３を上方に引き上げたときにスライダー７３がガレージ用布地８１に過接触することによってスライダー７３の円滑な移動が阻害されたり、或いはスライダー７３がガレージ用布地８１を噛み込んでしまうことがあった。その結果、スライドファスナー７４のスライド方向の一方端部では、エレメント７１，７２が係合されず、衣料の裏面側に雨等の水分や風が侵入することがあった。
そこで本発明はガレージ用布地とスライダーが接触しにくく、スライダーのスライド操作を行いやすい衣料を提供することを目的とする。
【課題を解決するための手段】
【０００７】
上記目的を達成し得た本発明の衣料とは；第１布地と、第１布地に接合される第１基材テープと、を含む第１接合布地と；第２布地と、第２布地に接合される第２基材テープと、を含む第２接合布地と；第１基材テープに設けられる第１エレメントと、第２基材テープに設けられる第２エレメントと、これらのエレメントの係合解除を行うスライダーと、を含むスライドファスナーと；第１面と、第１面と反対側に第２面とを有し、スライドファスナーのスライド方向の一方端部においてスライダーの少なくとも一部を収容するガレージ用布地と；を有し、ガレージ用布地は、第１面が第１接合布地に直接または間接に接合される固定部と、第２面が固定部と対向している重なり部と、第２面がスライダーと対向している収容部とを有する点に要旨を有するものである。本発明の衣料は、ガレージ用布地の第１面が固定部において第１接合布地に直接または間接に接合され、重なり部が第２面で固定部と対向しているため、第１接合布地の厚み方向に対して重なり部が固定部よりも高く配置される。これに伴い、第２面がスライダーと対向している収容部がスライダーから離れて高く配置されやすくなる。その結果、ガレージ用布地とスライダーの過接触によるスライダーの移動の阻害や、スライダーによるガレージ用布地の噛み込みを抑制できる。
【０００８】
ガレージ用布地は、スライドファスナーを一方端部側から覆うように、第１面を外側にして第１折り返し部で折り返されており、第１折り返し部を挟んだ一方側の第１面が第１接合布地の表面側に直接または間接に接合され、第１折り返し部を挟んだ他方側の第１面が第１接合布地の裏面側に直接または間接に接合されていることが好ましい。このようにガレージ用布地を第１折り返し部で折り返し、第１折り返し部を挟んだ一方側と他方側をそれぞれ第１接合布地の表面側と裏面側に直接または間接に接合することによって、スライドファスナーを閉めた状態でスライダーの上方を覆うガレージを容易に形成できる。
【０００９】
ガレージ用布地は、スライドファスナーのスライド方向に対して第１折り返し部を挟んだ他方側が第１折り返し部を挟んだ一方側よりも長く形成されていることが好ましい。このように第１接合布地の裏面側に位置するガレージ用布地が、第１接合布地の表面側に位置するガレージ用布地よりも長く形成されることによって、スライドファスナーの第１エレメントと第２エレメントとの隙間から雨や風等が衣料の裏面側に侵入することが抑制される。
【００１０】
ガレージ用布地は、第１面を外側にして第２折り返し部で折り返されており、第２折り返し部は、第１面側が第１エレメントの遠位側を向いており、第２折り返し部を挟んだ一方側に固定部が形成され、第２折り返し部を挟んだ他方側に重なり部と収容部が形成されていることが好ましい。ガレージ用布地が第２折り返し部で折り返され、第２折り返し部を挟んだ一方側に固定部が形成され、第２折り返し部を挟んだ他方側に重なり部と収容部が形成されることによって、固定部よりも重なり部が高く配置されるため、収容部もスライダーから離れて高く配置される。その結果、ガレージ用布地とスライダーの過接触によるスライダーの移動の阻害や、スライダーによるガレージ用布地の噛み込みを抑制できる。
【００１１】
第１折り返し部の延在方向と第２折り返し部の延在方向は、スライドファスナーから見て９１度以上の角度をなしていることが好ましい。第１折り返し部の延在方向と第２折り返し部の延在方向のなす角を上記範囲に設定することによって、ガレージの大きさをスライドファスナーの高さ方向に広げることができる。
【００１２】
第１布地は、表面側に位置する第１表布地と、裏面側に位置する第１裏布地とを有し、第１基材テープが第１表布地と第１裏布地の間に配され、ガレージ用布地は、スライドファスナーを一方端部側から覆うように、第１面を外側にして第１折り返し部で折り返されるとともに、第２面が第１エレメントの近位側を向くように、第２面を外側にして第３折り返し部で折り返されており、ガレージ用布地の第１折り返し部を挟んだ一方側は、第３折り返し部を挟んだ一方側が第１表布地の表面側に直接または間接に接合され、第３折り返し部を挟んだ他方側が第１表布地の裏面側に直接または間接に接合され、ガレージ用布地の第１折り返し部を挟んだ他方側は、第３折り返し部を挟んだ一方側が第１裏布地の裏面側に直接または間接に接合され、第３折り返し部を挟んだ他方側が第１裏布地の表面側に直接または間接に接合されていることが好ましい。このように第１布地と第２布地を複数の布地から構成することにより、各布地に異なる機能を付与できるため、機能性の高い衣料が得られる。また、ガレージ用布地の第１折り返し部を挟んだ一方側の第３折り返し部を挟んだ他方側が第１表布地の裏面側に直接または間接に接合されることにより、表面側に位置するガレージ用布地と第１表布地との固定がより強固になり、第１接合布地の表面側においてガレージ用布地が第１接合布地から脱落することが抑制される。さらに、ガレージ用布地の第１折り返し部を挟んだ他方側の第３折り返し部を挟んだ他方側が第１裏布地の表面側に直接または間接に接合されることにより、裏面側に位置するガレージ用布地と第１裏布地との固定がより強固になり、第１接合布地の裏面側においてガレージ用布地が第１接合布地から脱落することが抑制される。
【００１３】
第１布地とガレージ用布地は、同一の連続した部材を第４折り返し部で折り返すことにより形成され、第４折り返し部を挟んだ一方側が第１布地として構成され、第４折り返し部を挟んだ他方側がガレージ用布地として構成されてもよい。これにより、第１布地がガレージ用布地を兼ねることができるため、ガレージを形成するためにガレージ用布地を別途設ける必要がなく、衣料を構成する部材数を減少でき、衣料の軽量化が図られる。
【発明の効果】
【００１４】
本発明の衣料は、ガレージ用布地の第１面が固定部において第１接合布地に直接または間接に接合され、重なり部が第２面で固定部と対向しているため、第１接合布地の厚み方向に対して重なり部が固定部よりも高く配置され、第２面がスライダーと対向している収容部がスライダーから離れて高く配置されやすくなる。このため、ガレージ用布地とスライダーの過接触によるスライダーの移動の阻害や、スライダーによるガレージ用布地の噛み込みを抑制できる。
【図面の簡単な説明】
【００１５】
【図１】本発明の実施の形態に係る衣料の斜視図を表す。
【図２】本発明の実施の形態に係る衣料の斜視図を表す。
【図３】本発明の実施の形態に係る衣料の斜視図を表す。
【図４】図１に示した衣料のＩＶ−ＩＶ断面図を表す。
【図５】本発明の実施の形態に係る衣料の斜視図の変形例を表す。
【図６】図４に示した衣料の断面図の変形例を表す。
【図７】図４に示した衣料の断面図の他の変形例を表す。
【図８】本発明の実施の形態に係るガレージ用布地の平面図を表す。
【図９】従来の衣料の斜視図を表す。
【図１０】従来の衣料の斜視図を表す。
【図１１】従来の衣料の斜視図を表す。
【発明を実施するための形態】
【００１６】
以下、本発明に係る衣料に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００１７】
本発明において衣料とは身に着けるものであり、コート・ジャケット・ジャンパー等の上衣、ズボン・スカート等の下衣、ワンピース・つなぎ等の上衣と下衣が一体化したつなぎ服、手袋・帽子等の小物類を含む。また、本発明の衣料は、防寒用、スポーツ用、アウトドア用として好適に用いられる。
【００１８】
本発明の各布地は、例えば織物、編物、不織布、これらに樹脂が積層された材料から構成される。本発明の布地を構成する繊維としては、例えば、綿・絹等の天然繊維、ポリエステル・ポリエチレン・ナイロン等の合成繊維が挙げられる。
【００１９】
本発明において衣料の裏面側とは、衣料を着用した際の着用者の肌に向く側を意味し、衣料の表面側とは、衣料を着用した際の着用者とは反対側を意味する。
【００２０】
図１〜図３は、本発明の実施の形態に係る衣料の斜視図を表し、図４は図１に示した衣料のＩＶ−ＩＶ断面図を表す。なお、図１はスライドファスナーを閉じた状態での衣料を表し、図２はスライドファスナーを開いた状態での衣料を表し、図３は第１接合布地とガレージ用布地の接合状態を表している。
【００２１】
本発明の衣料１０は、第１接合布地１１と、第２接合布地２１と、スライドファスナー３１と、ガレージ用布地４１とを有する。図１〜図３では右前身頃が第１接合布地１１に相当し、左前身頃が第２接合布地２１に相当する。第１接合布地１１と第２接合布地２１の間に設けられるスライドファスナー３１によって右前身頃と左前身頃の係合解除が行われる。本発明においてスライダーの高さ方向は布地の厚み方向に相当し、スライドファスナーのスライド方向はスライドファスナーの開閉を行うためにスライダーを進退させる方向である。また、本発明において幅方向とは、スライド方向と直交する方向を意味する。さらに幅方向に対してスライドファスナー（エレメント）の近位側と遠位側を定める。
【００２２】
第１接合布地１１は、第１布地１２と、第１布地１２に接合される第１基材テープ１３とを含む。第２接合布地２１は、第２布地２２と、第２布地２２に接合される第２基材テープ２３とを含む。
【００２３】
第１布地１２および第２布地２２は、１または複数の上述した種類の布地によって構成される。第１布地１２または第２布地２２を複数の布地により構成する方法としては、例えば、厚み方向に積層された複数の布地同士を縫着、接着、溶着等によって互いに接合することが挙げられる。また、第１布地１２、第２布地２２はそれぞれ複数の布地をつなぎ合わせることによって構成することもできる。
【００２４】
スライドファスナー３１は、第１接合布地１１と第２接合布地２１の係合解除を行うために設けられる留め具である。スライドファスナー３１は、第１基材テープ１３に設けられる第１エレメント３２と、第２基材テープ２３に設けられる第２エレメント３３と、第１エレメント３２と第２エレメント３３の係合解除を行うスライダー３４とを含む。
【００２５】
第１基材テープ１３は、第１エレメント３２を支持し、スライドファスナー３１と第１接合布地１１を接続するために設けられる。他方、第２基材テープ２３は第２エレメント３３を支持し、スライドファスナー３１と第２接合布地２１を接続するために設けられる。第１基材テープ１３および第２基材テープ２３は、上述した種類の布地から構成することができる。
【００２６】
第１エレメント３２および第２エレメント３３は、後述するスライダーを介して互いに係合するものであり、務歯状やコイル状の複数個のエレメントが一定間隔で配列されたものやレール状に設けられたものを用いることができる。
【００２７】
スライダー３４は、第１エレメント３２および第２エレメント３３の係合解除を制御する手段である。スライダー３４を第１エレメント３２と第２エレメント３３の延在方向に沿って進退させることにより、第１エレメント３２と第２エレメント３３の係合および解除が行われる。
【００２８】
ガレージ用布地４１は、スライダーの少なくとも一部を収容するガレージを形成する布地である。図１、図２、図４に示すように、ガレージ用布地は第１面４２と、第１面４２と反対側に第２面４３とを有する。第１面４２とはスライダーを収容した状態で外側に位置する面であり、第２面４３とはスライダーを収容した状態で内側に位置する面である。
【００２９】
ガレージ用布地４１は、１または複数の上述した種類の布地によって構成される。ガレージ用布地４１を複数の布地から構成する方法としては、厚み方向に積層された複数の布地同士を縫着、接着、溶着等によって互いに接合することが挙げられる。また、ガレージ用布地４１は複数の布地をつなぎ合わせることによって構成することもできる。
【００３０】
図１に示すように、ガレージ用布地４１はスライドファスナー３１のスライド方向の一方端部において、スライドファスナー３１を閉めた状態でスライダー３４の少なくとも一部、好ましくはスライダー３４の上方を収容する。スライドファスナー３１のスライド方向の一方端部とは、スライダー３４を第１エレメント３２の端まで移動させてスライドファスナー３１を閉めた状態でスライダー３４が配置される部分である。
【００３１】
ガレージ用布地４１は、スライダー３４を確実に覆うためにスライダー３４を収容した状態で第２接合布地２１に到達する長さを有していることが好ましい。具体的には、ガレージの幅方向の長さ（すなわち、スライドファスナー３１のスライド方向と直交する方向）は、スライドファスナー３１を閉めた状態で衣料１０の表面側から見て、第１基材テープ１３の幅と第２基材テープ２３の幅の合計の長さ（以下、「基材テープの合計幅」と記載する）よりも大きいことが好ましい。ガレージの幅方向の長さは、基材テープの合計幅よりも０．５ｃｍ以上大きいことが好ましい。ガレージの幅方向の長さが十分大きいと、スライダー３４を十分に覆うことができる。他方、ガレージの幅方向の長さは、基材テープの合計幅よりも２．０ｃｍ以下の範囲で大きいことが好ましく、１．５ｃｍ以下の範囲で大きいことがより好ましく、１．０ｃｍ以下の範囲で大きいことがさらに好ましい。ガレージの幅方向の長さが、基材テープの幅方向の長さよりも２．０ｃｍ以下の範囲で大きければ、衣料の見栄えが良好になる。なお、基材テープの合計幅は、例えば１．０ｃｍ〜２．０ｃｍにすることができる。なお、ガレージの幅方向の長さは、ガレージの収容部が形成された状態で衣料を上から押さえて偏平状にしたときの幅方向の長さを意味する。
【００３２】
ガレージへのスライダー３４の収容は、例えば次のような手順で行われる。まず、図３に示すようにガレージ用布地４１を裏返して、ガレージ用布地４１の第２面４３を外側に向けて配置する。次いで、図２に示すようにガレージ用布地４１の第１面４２が外側を向くように、例えばガレージ用布地４１をスライドファスナー３１側に第２折り返し部４８Ｂ（詳細は後述する）で折り返すことによりスライダー３４を収容可能なガレージが形成される。最後にスライダー３４をスライド方向の一方端部（図２の上方）に向かって移動させると、図１に示すようにスライダー３４の上方がガレージ用布地４１によって覆われてガレージに収容される。
【００３３】
上記とは異なる手順でスライダー３４を収容することも勿論可能である。まず、図３に示すようにガレージ用布地４１を裏返してガレージ用布地４１の第２面４３を外側に向けて配置する。次いで、スライダー３４をスライド方向の一方端部（図３の上方）に向かって移動させた後、図１に示すようにガレージ用布地４１の第１面４２が外側を向くように、例えばガレージ用布地４１を第２折り返し部４８Ｂで折り返すことによってスライダー３４が収容される。本発明の衣料１０は、スライダー３４を収容するガレージ用布地４１の収容部がスライダー３４から離れて高く配置されるため、ガレージ用布地４１の外側に位置する面を変更するためのガレージ用布地４１の折り返し操作を容易に行える。
【００３４】
ガレージ用布地４１は、第１面４２が第１接合布地１１に直接または間接に接合される固定部４４を有する。詳細には、図４に示すように衣料１０の表面側では、ガレージ用布地４１の第１面４２が第１接合布地１１の表面側と接合され、衣料の裏面側では、ガレージ用布地４１の第１面４２が第１基材テープ１３の裏面側と接合されている。そして、図３〜図４では、ガレージ用布地４１の固定部４４が縫い糸５０によって形成されている。なお、第１接合布地１１とガレージ用布地４１の接合状態を明確にするために、図３ではガレージ用布地４１を第１接合布地１１に接合した後、ガレージ用布地４１の第２面４３を固定部４４に対向させる前の状態を示している。
【００３５】
図３では、第１接合布地１１とガレージ用布地４１が縫合によって固定される例を示したが、この方法に限定されず、例えば、接着剤による接着、熱融着、超音波融着等の接合手段により接合することもできる。また、取り外し可能なガレージを構成するために、接合手段として線ファスナー、面ファスナー等の留め具を用いることもできる。固定部４４は、連続的に形成されていてもよく、断続的に形成されていてもよい。着用時の機動性や衣料１０の柔軟性を維持するためには、固定部４４は断続的に形成されることが好ましい。
【００３６】
固定部４４は少なくとも一部がスライドファスナー３１の幅方向において、ガレージ用布地４１の内方端４７よりも外方に位置するように設けられることが好ましい。具体的には、ガレージ用布地４１の内方端４７から固定部４４の外方端までの距離が２．０ｍｍ以上であることが好ましい。他方、ガレージ用布地４１の内方端４７から固定部４４の外方端までの距離の上限は特に限定されないが、ガレージ用布地４１の内方端４７から固定部４４の外方端までの距離が５．０ｍｍ以下であることが好ましく、４．０ｍｍ以下であることがより好ましく、３．０ｍｍ以下であることがさらに好ましい。ガレージ用布地４１の内方端４７から固定部４４の外方端までの距離が、２．０ｍｍ以上５．０ｍｍ以下であれば、ガレージ用布地４１の収容部４６で膨らみが生じやすくなり、スライダー３４を収納しやすくなる。なお、ガレージ用布地の内方端とは、ガレージ用布地の第１面を固定部で第１接合布地に接合した後、ガレージ用布地の第２面を固定部に対向させて重なり部を形成する前の状態（すなわち第２面を外側に向けて配置した状態）での第１エレメントの近位側の端を意味する。
【００３７】
図３に示すように、固定部４４はスライドファスナー３１のスライド方向に沿って設けられることが好ましい。これにより、スライドファスナー３１のスライド方向においてガレージの形状が一定に保持されやすくなるため、スライダー３４をスライド方向に移動させたときのスライダー３４とガレージ用布地４１の過接触を抑制できる。
【００３８】
ガレージ用布地４１は、スライドファスナーを一方端部側から覆うように、第１面４２を外側にして第１折り返し部４８Ａで折り返されており、第１折り返し部４８Ａを挟んだ一方側の第１面４２が第１接合布地１１の表面側に直接または間接に接合され、第１折り返し部４８Ａを挟んだ他方側の第１面４２が第１接合布地１１の裏面側に直接または間接に接合されていることが好ましい。ガレージ用布地４１を第１折り返し部４８Ａで折り返し、第１折り返し部４８Ａを挟んだ一方側と他方側をそれぞれ第１接合布地１１の表面側と裏面側に直接または間接に接合することによって、スライドファスナー３１を閉めた状態でスライダー３４の上方を覆うガレージを容易に形成できる。
【００３９】
より好ましくは、ガレージ用布地４１は、第１折り返し部４８Ａを挟んだ一方側の第１面４２が第１接合布地１１の表面側に、固定部４４で直接または間接に接合され、第１折り返し部４８Ａを挟んだ他方側の第１面４２が第１接合布地１１の裏面側に、固定部４４で直接または間接に接合される。ガレージ用布地４１の第１折り返し部４８Ａを挟んだ一方側と他方側が第１接合布地１１の表面側と裏面側に固定部４４で接合されるということは、ガレージ用布地４１の重なり部４５が第１接合布地１１の外側により一層配置されやすくなることを意味する。この場合、ガレージ用布地４１の収容部４６がスライダー３４からより一層離れて高く配置される。
【００４０】
ガレージ用布地４１の第１折り返し部４８Ａは、折り目が付かないように形成されてもよく、折り目が付くように形成されてもよい。後述するガレージ用布地４１の第２折り返し部、第３折り返し部、第４折り返し部も同様である。
【００４１】
第１折り返し部４８Ａを挟んだ一方側と他方側とは、ガレージ用布地４１を第１折り返し部４８Ａで折り返した状態で上から押さえて偏平状にしたときに形成される折り目を挟んだ一方側と他方側を意味する。後述する第２折り返し部、第３折り返し部、第４折り返し部を挟んだ一方側と他方側も同様に規定される。
【００４２】
図４に示すように、ガレージ用布地４１は、第２面４３が固定部４４と対向している重なり部４５と、第２面４３がスライダー３４と対向している収容部４６を有する。重なり部４５は、ガレージ用布地４１の第２面４３同士を対向させることによって固定部４５よりも高く配置される部分であり、スライダー３４から離れて高く配置される収容部４６を得るために設けられる。収容部４６はスライドファスナー３１を閉めた状態でスライダー３４と対向してスライダー３４の一方端部を覆うことにより、スライダー３４を収容する部分である。このようにガレージ用布地４１に重なり部４５と収容部４６を設けることによって、スライダー３４とガレージ用布地４１の過接触が抑制されたガレージを形成することができる。ここで対向とは、一方の部材（ガレージ用布地４１の第２面４３）と他方の部材（固定部４４またはスライダー３４）が互いに非固定の状態で、互いに向き合って重なるように配置されていることを意味する。
【００４３】
ガレージ用布地４１は、第１面４２を外側にして第２折り返し部４８Ｂで折り返されており、第２折り返し部４８Ｂは、第１面４２側が第１エレメント３２の遠位側を向いていることが好ましい。この際、第２折り返し部４８Ｂを挟んだ一方側に固定部４４が形成され、第２折り返し部４８Ｂを挟んだ他方側に重なり部４５と収容部４６が形成されていることが好ましい。このように、ガレージ用布地４１が第２折り返し部４８Ｂで折り返され、第２折り返し部４８Ｂを挟んだ一方側に固定部４４が形成され、第２折り返し部４８Ｂを挟んだ他方側に重なり部４５と収容部４６が形成されることによって、固定部４４よりも重なり部４５が高く配置されやすくなるため、収容部４６もスライダー３４から離れて高く配置されやすくなる。その結果、ガレージ用布地４１とスライダー３４の過接触によるスライダー３４の移動の阻害や、スライダー３４によるガレージ用布地４１の噛み込みを抑制できる。
【００４４】
第１折り返し部４８Ａの延在方向と第２折り返し部４８Ｂの延在方向は、スライドファスナー３１から見て９０度超の角度θをなしていることが好ましく、９１度以上の角度θをなしていることがより好ましく、角度θは９２度以上であることがさらに好ましく、９３度以上であることがさらにより好ましい。第１折り返し部４８Ａの延在方向と第２折り返し部４８Ｂの延在方向のなす角を９０度超にすることによって、ガレージの大きさをスライドファスナー３１の高さ方向に広げることができるため、ガレージ用布地４１の収容部４６がより高く配置されやすくなる。一方、角度θの上限は特に限定されないが、ガレージが衣料１０の着用時に邪魔になることを防ぐために、角度θは１２０度以下であることが好ましく、１１０度以下であることがより好ましく、１００度以下であることがさらに好ましい。
【００４５】
なお、図９〜図１１に示す従来のガレージでは、折り返し部８４の延在方向と、右前身頃６１の内方端の延在方向はスライドファスナー７４から見て角度９０度をなしているのが一般的であり、このことがガレージとスライダー７３の過接触を引き起こす要因の一つであった。他方、本発明ではガレージ用布地４１の第１折り返し部４８Ａの延在方向と第２折り返し部４８Ｂの延在方向のなす角は９１度以上に好ましく設定されることから、本発明の衣料はスライダー３４とガレージ用布地４１の過接触が軽減されやすいものである。
【００４６】
第１折り返し部４８Ａの延在方向とは、ガレージ用布地４１を第１折り返し部４８Ａで折り返して上から押さえて偏平状にしたときに、第１折り返し部４８Ａの一方側と他方側を分ける第１折り目の延在方向を意味する。第２折り返し部４８Ｂの延在方向とは、ガレージ用布地４１を第２折り返し部４８Ｂで折り返して上から押さえて偏平状にしたときに、第２折り返し部４８Ｂの一方側と他方側を分ける第２折り目の延在方向を意味する。また、第１折り返し部４８Ａの延在方向と第２折り返し部４８Ｂの延在方向のなす角は、ガレージ用布地４１が形成される側の角度である。
【００４７】
第２折り返し部４８Ｂの延在方向とスライドファスナー３１の延在方向は略平行であることが好ましい。なお、スライドファスナー３１の延在方向は、スライドファスナー３１を閉じたときの延在方向を意味する。
【００４８】
図５は、図１〜図４に示したガレージ用布地４１の変形例を示す斜視図を表す。図５に示すように、ガレージ用布地４１は、スライドファスナーのスライド方向に対して第１折り返し部４８Ａを挟んだ他方側が第１折り返し部４８Ａを挟んだ一方側よりも長く形成されていることが好ましい。すなわち、ガレージ用布地４１は、スライドファスナーのスライド方向に対して裏面側に位置する第１折り返し部４８Ａを挟んだ他方側が、表面側に位置する第１折り返し部４８Ａを挟んだ一方側よりも長く形成されていることが好ましい。このように裏面側に位置するガレージ用布地４１が、スライド方向に対して表面側に位置するガレージ用布地４１よりも長く形成されることによって、スライドファスナーの第１エレメント３２と第２エレメント３３との隙間から雨や風等が衣料の裏面側に侵入することが抑制される。
【００４９】
次に、図１〜図５に示した衣料とはガレージ用布地と第１接合布地の配置方法が異なる衣料について、図６を参照しながら説明する。図６は図４の衣料の断面図の変形例を表す。なお図６の説明において、上記の説明と重複する部分は説明を省略する。
【００５０】
図６に示すように、衣料１０は、第１布地１２が、表面側に位置する第１表布地１２Ａと、第１表布地１２Ａよりも裏面側に位置する第１裏布地１２Ｂを有し、第２布地２２が、表面側に位置する第２表布地２２Ａと、第２表布地２２Ａよりも裏面側に位置する第２裏布地２２Ｂを有することが好ましい。このように第１布地１２と第２布地２２を複数の布地から構成することにより、例えば、第１表布地１２Ａには撥水性・防水性を、第１裏布地１２Ｂには保温性を付与するというように各布地に異なる機能を付与できるため、機能性の高い衣料が得られる。
【００５１】
図６に示すように、衣料１０は、第１基材テープ１３が第１表布地１２Ａと第１裏布地１２Ｂの間に配されている。図６では、第１表布地１２Ａ、ガレージ用布地４１、第１基材テープ１３、第１裏布地１２Ｂが縫い糸５０によって縫合されることにより固定部４４が形成されている。他方、第２表布地２２Ａ、第２基材テープ２３、第２裏布地２２Ｂは縫い糸５１によって縫合されている。
【００５２】
ガレージ用布地４１には、第１折り返し部４８Ａ、第２折り返し部４８Ｂの他に、以下に説明する第３折り返し部４８Ｃを設けることもできる。具体的には、ガレージ用布地４１は、スライドファスナー３１を一方端部側から覆うように、第１面４２を外側にして第１折り返し部４８Ａで折り返されるとともに、第２面４３が第１エレメント３２の近位側を向くように、第２面４３を外側にして第３折り返し部４８Ｃで折り返されていてもよい。この際、ガレージ用布地４１の第１折り返し部４８Ａを挟んだ一方側は、第３折り返し部４８Ｃを挟んだ一方側が第１表布地１２Ａの表面側に直接または間接に接合され、第３折り返し部４８Ｃを挟んだ他方側が第１表布地１２Ａの裏面側に直接または間接に接合され；ガレージ用布地４１の第１折り返し部４８Ａを挟んだ他方側は、第３折り返し部４８Ｃを挟んだ一方側が第１裏布地１２Ｂの裏面側に直接または間接に接合され、第３折り返し部４８Ｃを挟んだ他方側が第１裏布地１２Ｂの表面側に直接または間接に接合されていることが好ましい。このようにガレージ用布地４１の第１折り返し部４８Ａを挟んだ一方側の第３折り返し部４８Ｃを挟んだ他方側が第１表布地１２Ａの裏面側に直接または間接に接合されることにより、表面側に配置されるガレージ用布地４１と第１表布地１２Ａとの接合がより強固になり、第１接合布地１１の表面側においてガレージ用布地４１が第１接合布地１１から脱落することが抑制される。他方、ガレージ用布地４１の第１折り返し部４８Ａを挟んだ他方側の第３折り返し部４８Ｃを挟んだ他方側が第１裏布地１２Ｂの表面側に直接または間接に接合されることにより、裏面側に配置されるガレージ用布地４１と第１裏布地１２Ｂとの接合がより強固になり、第１接合布地１１の裏面側においてガレージ用布地４１が第１接合布地１１から脱落することが抑制される。
【００５３】
図６に示すように、第１折り返し部、第３折り返し部４８Ｃが設けられるガレージ用布地４１には、第２折り返し部４８Ｂも好ましく設けられる。ガレージ用布地４１が第２折り返し部４８Ｂで折り返され、第２折り返し部４８Ｂを挟んだ一方側に固定部４４が形成され、第２折り返し部４８Ｂを挟んだ他方側に重なり部４５と収容部４６が形成されることによって、固定部４４よりも重なり部４５が高く配置されやすくなるため、収容部４６もスライダー３４から離れて高く配置されやすくなる。
【００５４】
第２折り返し部４８Ｂの延在方向と、第３折り返し部４８Ｃの延在方向は、略平行であることが好ましい。このように第２折り返し部４８Ｂと第３折り返し部４８Ｃの延在方向を設定することにより、ガレージ用布地４１の収容部４６が一定の大きさに保持されやすくなる。なお、第３折り返し部４８Ｃの延在方向とは、ガレージ用布地４１を第３折り返し部４８Ｃで折り返して上から押さえて偏平状にしたときに、第３折り返し部４８Ｃの一方側と他方側を分ける第３折り目の延在方向を意味する。
【００５５】
さらに、ガレージ用布地４１が衣料１０を構成する第１布地１２と同一部材から構成される例について、図７を参照しながら説明する。図７は図４の衣料の断面図の変形例を表す。なお、図７の説明において、上記の説明と重複する部分は説明を省略する。
【００５６】
図７に示す衣料は、第１布地１２が第１表布地１２Ａと第１裏布地１２Ｂとを有し、第２布地２２が第２表布地２２Ａと第２裏布地２２Ｂを有する。ガレージ用布地４１は、第１折り返し部（図示しない）と、第２折り返し部４８Ｂと、第４折り返し部４８ＤＡ、４８ＤＢを有している。このように、第１布地１２とガレージ用布地４１は、同一の連続した部材を第４折り返し部４８ＤＡ、４８ＤＢで折り返すことにより形成され、第４折り返し部４８ＤＡ、４８ＤＢを挟んだ一方側が第１布地１２として構成され、第４折り返し部４８ＤＡ、４８ＤＢを挟んだ他方側がガレージ用布地４１として構成されてもよい。これにより、第１布地１２がガレージ用布地４１を兼ねることができるため、ガレージを形成するためにガレージ用布地４１を別途設ける必要がなく、衣料１０を構成する部材数を減少でき、衣料１０の軽量化が図られる。
【００５７】
図７では衣料１０の表面側において、第１表布地１２Ａが表面側に位置するガレージ用布地４１Ａを兼ねるように、第１表布地１２Ａが第４折り返し部４８ＤＡで折り曲げられている。このため、第１表布地１２Ａの表面と、ガレージ用布地４１Ａの第１面４２Ａが同一面となる。同様に、衣料１０の裏面側において、第２裏布地１２Ｂが裏面側に位置するガレージ用布地４１Ｂを兼ねるように、第２裏布地１２も第４折り返し部４８ＤＢで折り曲げられている。このため、第２裏布地１２Ｂの裏面と、ガレージ用布地４１Ｂの第１面４２Ｂが同一面となる。ガレージ用布地４１Ａとガレージ用布地４１Ｂは任意の箇所（例えば、第１折り返し部４８Ａ）でつなぎ合わされて、１つのガレージ用布地４１として形成されればよい。
【００５８】
第１表布地１２Ａ、第１基材テープ１３、第１裏布地１２Ｂは縫い糸５０によって互いに縫合され、固定部４４が形成されている。また、第２基材テープ２３側では、ガレージ用布地４１Ａ、４１Ｂが縫い糸５２によって縫合されている。図７では、ガレージ用布地４１Ａ、４１Ｂの内方端４７Ａ、４７Ｂが、それぞれ第４折り返し部４８ＤＡ、４８ＤＢによって形成される。
【００５９】
ガレージ用布地４１の形状は例えば以下のように構成することができる。図８にはガレージ用布地の形状を示す平面図の例を示した。図８は、図５に示したガレージ用布地４１の展開図を表している。図８に示すように、第１接合布地との接合前においてガレージ用布地４１は、第１直線区間Ｓ１と、第１直線区間Ｓ１の一方端に接続する第２直線区間Ｓ２と、を含む閉じた線で囲まれた形状であることが好ましい。ガレージ用布地４１を第１直線区間Ｓ１と第２直線区間Ｓ２の境界で折り返すことによって、ガレージを容易に形成することができる。
【００６０】
図８に示すように、第１接合布地との接合前においてガレージ用布地４１は、第１直線区間Ｓ１と、第１直線区間Ｓ１の一方端に接続する第２直線区間Ｓ２と、第１直線区間Ｓ１の他方端に接続する曲線区間Ｓ３と、を含む閉じた線で囲まれた形状であることが好ましい。ガレージ用布地４１が、第１直線区間Ｓ１と、第２直線区間Ｓ２と、曲線区間Ｓ３とを含む閉じた線で囲まれた形状であれば、第１直線区間Ｓ１と第２直線区間Ｓ２の境界を第１折り返し部４８Ａとして折り返し、第１直線区間Ｓ１と第２直線区間Ｓ２を第１接合布地に接合することによって、曲線区間Ｓ３をスライダーの出入り口とすることができる。
【００６１】
第１接合布地１１との接合前において、ガレージ用布地４１に設けられる曲線区間Ｓ３は外方に凸となる形状であることが好ましい。このように曲線区間Ｓ３を形成することによりスライダー３４がガレージから露出しにくくなるため、衣料１０の裏面側への雨等の水分や風の侵入が抑制される。ここでガレージ用布地４１に設けられる曲線区間Ｓ３における外方とは、第１接合布地１１に接合する前のガレージ用布地４１の形状の重心から離れる方向である。第１接合布地１１との接合前において、第１直線区間Ｓ１と、第２直線区間Ｓ２と、外方に凸となる曲線区間Ｓ３を有するガレージ用布地４１の形状としては、例えば、部分円形状、部分楕円形状、釣鐘形状が挙げられる。
【００６２】
第１直線区間Ｓ１と第２直線区間Ｓ２のなす角の角度φは、１８０度未満であることが好ましく、１７８度以下であることがより好ましく、１７６度以下であることがさらに好ましく、１７４度以下であることがさらにより好ましい。ここで角度φは、第１直線区間Ｓ１と第２直線区間Ｓ２のなす角のうち、ガレージ用布地４１が配されない側の角度を意味する。従来、ガレージ用布地の第１直線区間と第２直線区間のなす角の角度φは１８０度に設定されることが多かった。しかし、本発明では第１直線区間Ｓ１と第２直線区間Ｓ２のなす角の角度φが１８０度未満に好ましく設定されるため、ガレージ用布地４１の収容部４６がスライダー３４からより一層離れて高く配置されやすくなる。その結果、ガレージ用布地４１とスライダー３４の過接触によるスライダー３４の移動の阻害や、スライダー３４によるガレージ用布地４１の噛み込みを抑制できる。なお、角度φの下限は特に限定されないが、ガレージを形成したときにガレージが着用の邪魔になることを防ぐために、角度φは１２０度以上であることが好ましく、１４０度以上であることがより好ましく、１６０度以上であることがさらに好ましい。
【００６３】
ガレージ用布地４１は、第１直線区間Ｓ１が第１接合布地１１の表面側に直接または間接に接合され、第２直線区間Ｓ２が第１接合布地１１の裏面側に直接または間接に接合されることが好ましい。このとき、第１直線区間Ｓ１または第２直線区間Ｓ２と、第１接合布地１１との接合は、ガレージ用布地４１の縁が第１接合布地１１に接合される態様に限らず、ガレージ用布地４１の縁から例えば３ｃｍ以内の領域の少なくとも一部が第１接合布地１１に接合されていればよい。このように少なくとも１つのガレージ用布地４１を第１接合布地１１の表面側と裏面側にそれぞれ固定することにより、合理的にガレージを形成できる。
【００６４】
ガレージ用布地４１は、第１直線区間Ｓ１が第１接合布地１１の表面側に接合され、第２直線区間Ｓ２が第１接合布地１１の裏面側に接合され、曲線区間Ｓ３の少なくとも一部が第１接合布地１１に接合されないことが好ましい。これにより曲線区間Ｓ３をスライダー３４の出入り口として機能させることができる。
【符号の説明】
【００６５】
１０：衣料
１１：第１接合布地
１２：第１布地
１３：第１基材テープ
２１：第２接合布地
２２：第２布地
２３：第２基材テープ
３１：スライドファスナー
３２：第１エレメント
３３：第２エレメント
３４：スライダー
４１：ガレージ用布地
４２：第１面
４３：第２面
４４：固定部
４５：重なり部
４６：収容部
４７：内方端
４８Ａ：第１折り返し部
４８Ｂ：第２折り返し部
４８Ｃ：第３折り返し部
４８ＤＡ、４８ＤＢ：第４折り返し部
【図１】
2017025442.tif 000003
【図２】
2017025442.tif 000004
【図３】
2017025442.tif 000005
【図５】
2017025442.tif 000006
【図８】
2017025442.tif 000007
【図９】
2017025442.tif 000008
【図１０】
2017025442.tif 000009
【図１１】
2017025442.tif 000010
【図４】
2017025442.tif 000011
【図６】
2017025442.tif 000012
【図７】
2017025442.tif 000013
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
第１布地と、該第１布地に接合される第１基材テープと、を含む第１接合布地と、
第２布地と、該第２布地に接合される第２基材テープと、を含む第２接合布地と、
前記第１基材テープに設けられる第１エレメントと、前記第２基材テープに設けられる第２エレメントと、これらのエレメントの係合解除を行うスライダーと、を含むスライドファスナーと、
第１面と、該第１面と反対側に第２面とを有し、前記スライドファスナーのスライド方向の一方端部において前記スライダーの少なくとも一部を収容するガレージ用布地と、を有し、
前記ガレージ用布地は、前記第１面が前記第１接合布地側に面して固定される固定部と、前記第２面が前記固定部と非固定の状態で対向している重なり部と、前記第２面が前記スライダーと対向している収容部とを有することを特徴とする衣料。
【請求項２】
前記ガレージ用布地は、前記スライドファスナーを前記一方端部側から覆うように、前記第１面を外側にして第１折り返し部で折り返されており、
前記第１折り返し部を挟んだ一方側の第１面が前記第１接合布地の表面側に直接または間接に接合され、
前記第１折り返し部を挟んだ他方側の第１面が前記第１接合布地の裏面側に直接または間接に接合されている請求項１に記載の衣料。
【請求項３】
前記ガレージ用布地は、前記第１折り返し部を挟んだ一方側の第１面が前記第１接合布地の表面側に面して固定され、前記第１折り返し部を挟んだ他方側の第１面が前記第１接合布地の裏面側に面して固定され、
前記スライドファスナーのスライド方向において前記第１折り返し部を挟んだ他方側が前記第１折り返し部を挟んだ一方側よりも長く形成されている請求項２に記載の衣料。
【請求項４】
前記ガレージ用布地は、前記第１面を外側にして第２折り返し部で折り返されており、
前記第２折り返し部は、前記第１面側が前記第１エレメントの遠位側を向いており、
前記第２折り返し部を挟んだ一方側に前記固定部が形成され、
前記第２折り返し部を挟んだ他方側に前記重なり部と前記収容部が形成されている請求項１〜３のいずれか一項に記載の衣料。
【請求項５】
前記ガレージ用布地は、前記スライドファスナーを前記一方端部側から覆うように、前記第１面を外側にして第１折り返し部で折り返されており、
前記第１折り返し部の延在方向と前記第２折り返し部の延在方向は、前記スライドファスナーから見て９１度以上の角度をなしている請求項４に記載の衣料。
【請求項６】
前記第１布地は、表面側に位置する第１表布地と、裏面側に位置する第１裏布地とを有し、
前記第１基材テープが前記第１表布地と前記第１裏布地の間に配され、
前記ガレージ用布地は、前記スライドファスナーを前記一方端部側から覆うように、前記第１面を外側にして第１折り返し部で折り返されるとともに、前記第２面が前記第１エレメントの近位側を向くように、前記第２面を外側にして第３折り返し部で折り返されており、
前記ガレージ用布地の前記第１折り返し部を挟んだ一方側は、前記第３折り返し部を挟んだ一方側が前記第１表布地の表面側に直接または間接に接合され、前記第３折り返し部を挟んだ他方側が前記第１表布地の裏面側に直接または間接に接合され、
前記ガレージ用布地の前記第１折り返し部を挟んだ他方側は、前記第３折り返し部を挟んだ一方側が前記第１裏布地の裏面側に直接または間接に接合され、前記第３折り返し部を挟んだ他方側が前記第１裏布地の表面側に直接または間接に接合されている請求項１〜５のいずれか一項に記載の衣料。
【請求項７】
前記第１布地と前記ガレージ用布地は、同一の連続した部材を第４折り返し部で折り返すことにより形成され、
前記第４折り返し部を挟んだ一方側が前記第１布地として構成され、
前記第４折り返し部を挟んだ他方側が前記ガレージ用布地として構成される請求項１〜５のいずれか一項に記載の衣料。